(57)【要約】      （修正有）【課題】洗濯容量の大容量化で外槽の径が拡大した場合に、外槽と筐体の衝突による異音の発生を防止できるドラム式洗濯機を提供する。【解決手段】ドラム２１と、外槽１１と、筺体１とを有し、外槽の上部を前方と後方を支持する少なくとも二組の懸架手段を有するドラム式洗濯機１００において、第一の懸架手段８は、外槽を前方かつ上方へ向けて懸架し、第一の懸架手段のコイル部は外槽の最大径Ｄ１となる部分Ｌ１よりも前方に位置し、第二の懸架手段９は、第一の懸架手段よりも後方に位置し、第二の懸架手段の外槽との接続部は、第一の懸架手段の外槽との接続部よりも後方に位置し、第二の懸架手段の筐体との接続部は、第二の懸架手段の外槽との接続部より後方に位置する構成とすることで、外槽の懸架手段の設置空間を確保し、外槽の振動時に外槽と懸架手段のコイル部の干渉を防ぎ、異音の発生を抑制することができる。【選択図】図２
2018061527.tif 000002
【特許請求の範囲】
【請求項１】
回転軸が水平または，奥側が下になるように傾斜した回転自在なるドラムと，該ドラムを内包すると共に洗濯水を溜める外槽と，該外槽を内包する筺体とを有し，前記外槽の上部を前方と後方に支持する少なくとも二組の懸架手段を有するドラム式洗濯機において，
第一の懸架手段は，前記外槽を前方かつ上方へ向けて懸架し，前記第一の懸架手段のコイル部は，前記外槽の径が最大となる部分よりも前方に位置し，第二の懸架手段は，前記第一の懸架手段よりも後方に位置し，前記第二の懸架手段の前記外槽との接続部は，前記第一の懸架手段の前記外槽との接続部よりも後方に位置し，前記第二の懸架手段の前記筐体との接続部は，前記第二の懸架手段の前記外槽との接続部より後方に位置することを特徴とするドラム式洗濯機及びドラム式洗濯乾燥機。
【請求項２】
回転軸が水平または，奥側が下になるように傾斜回転自在なるドラムと，該ドラムを内包すると共に洗濯水を溜める外槽と，該外槽を内包する筺体とを有し，前記外槽の上部を前方と後方に支持する少なくとも二組の懸架手段を有するドラム式洗濯機において，
第二の懸架手段は，第一の懸架手段よりも後方に備え，前記第二の懸架手段の前記外槽との接続部より前方に外槽側の外れ防止部材を備え，前記筺体に前記外槽側の外れ防止部材よりも前方に筺体側外れ防止部材を備え，
前記筺体側外れ防止部材と前記外槽側外れ防止部材間は，前記外槽を静態支持している状態から外槽が前方に移動して，前記第一の懸架手段が縮み，自然長となる前または，自然長さとなった時に，前記筺体側外れ防止部材と前記外槽側外れ防止部材が干渉する距離とすることを特徴とするドラム式洗濯機及びドラム式洗濯乾燥機。
【請求項３】
請求項１のドラム式洗濯機及びドラム式洗濯乾燥機において，
前記第一の懸架手段を水平に配置して，前記第二の懸架手段の前記外槽との接続部より前方に外槽側の外れ防止部材を備え，前記筺体に前記外槽側の外れ防止部材よりも前方に筺体側外れ防止部材を備え，
前記筺体側外れ防止部材と前記外槽側外れ防止部材間は，前記外槽を静態支持している状態から，前記外槽が前方に移動して，前記第一の懸架手段が縮み，前記第一の懸架手段が自然長となる前または，自然長さとなった時に，前記筺体側外れ防止部材と前記外槽側外れ防止部材が干渉する距離とすることを特徴とするドラム式洗濯機及びドラム式洗濯乾燥機。
【発明の詳細な説明】
【技術分野】
【０００１】
本発明は、洗濯，脱水を行うドラム式洗濯機及び洗濯，脱水及び乾燥を行うドラム式洗濯乾燥機に係る。
【背景技術】
【０００２】
ドラム式洗濯機は，筐体が水を溜める外槽を内包し，外槽が衣類を投入するドラムを内包している。ドラム式洗濯機は，洗いと，すすぎと，脱水の各工程を行う。脱水時に衣類が片寄った状態で，ドラムが高速回転すると大きな遠心力が発生し，大きな振動となる。この大きな振動を小さくするために，外槽の下部はばねやダンパで構成されるサスペンションで支持されている。また，外槽の前後方向への倒れ込みを防ぐために，引張りばねの様な弾性部材で外槽の上部と筐体を接続して，外槽を前後に支持している。ドラム式洗濯機の弾性部材のばね定数が大きくなると，共振回転速度が上昇して，遠心力が大きくなるため，ドラムから外槽に加わる加振力が大きくなり，外槽の振動が大きくなる。外槽の振動が大きくなると，外槽から筺体に振動が伝達しやすくなり，筺体の振動が増加することで不快感が増す。そのため，外槽の上部を支持する弾性部材は，設置空間を確保して，所定のばね定数によって，外槽の支持と振動の抑制を両立している。
【０００３】
外槽の上部を支持する弾性部材の従来技術には，特開２０１４−３３７４９号公報（特許文献１）がある。この公報には，外槽の上部を前後方向に支持する二組の懸架手段を有するドラム式洗濯機において，第一の懸架手段は前記外槽を前方かつ上方へ向けて懸架し，前記第一の懸架手段の筺体との接続部は前記ドラムの前端の面よりも後方に位置し，第二の懸架手段は前記外槽を後方かつ上方へ向けて懸架し，前記第二の懸架手段の前記筺体との接続部は前記ドラムの後端の面よりも前方に位置し，前記第二の懸架手段の前記筺体との接続部は，前記第一の懸架手段の前記外槽との接続部よりも後方に位置させると記載されている。また，特開２００２−３４６２８２号公報（特許文献２）には，外槽の上部では，引張りばねを介して筐体の天板に補助的に弾性支持されていると記載されている。
【先行技術文献】
【特許文献】
【０００４】
【特許文献１】特開２０１４−３３７４９号公報
【特許文献２】特開２００２−３４６２８２号公報
【発明の概要】
【発明が解決しようとする課題】
【０００５】
特許文献１は，第一の懸架手段で外槽を前方かつ上方へ向けて懸架し，第二の懸架手段で外槽を後方かつ上方へ向けて懸架している。洗濯容量の大容量化で外槽の径が拡大すると，外槽と筐体の上下空間が狭くなり，懸架手段の設置空間が狭くなるため，懸架手段を設置することが困難となる。特許文献２は，懸架手段となる引張りばねのコイル部が外槽の径が最大となる部分の上方に位置しているため，洗濯容量の大容量化で外槽の径が拡大すると，外槽と懸架手段の上下空間狭くなり，外槽が大きく振動した際に外槽とコイル部が干渉して，異音が発生する。外槽とコイル部の干渉を防ぐために，外槽の懸架手段の接続部を上方に伸ばして，外槽とコイル部の上下空間を確保した場合，大容量化で外槽と筐体の上下空間が狭くなっているため，外槽が大きく振動した際に，外槽の懸架手段の接続部と筐体が干渉して異音が発生する。
【０００６】
また，特許文献１と特許文献２では，外槽が大きく振動し，懸架手段である引張ばねが圧縮方向に大きく変形する場合，懸架手段が自然長となり，引張力がなくなる。この状態で，更に外槽が振動すると，懸架手段に引張力がないため，懸架手段が接続部から外れて，外槽が倒れ込んでしまう。外槽が倒れ込むと，外槽が筺体と衝突し続けることで，異音が発生する。
【課題を解決するための手段】
【０００７】
本発明は上記課題を解決する手段の一例を挙げるならば，回転軸が水平または，奥側が下になるように傾斜した回転自在なるドラムと，該ドラムを内包すると共に洗濯水を溜める外槽と，該外槽を内包する筺体とを有し，前記外槽の上部を前後方向に支持する少なくとも二組の懸架手段を有するドラム式洗濯機において，第一の懸架手段は，前記外槽を前方かつ上方へ向けて懸架し，前記第一の懸架手段のコイル部は，前記外槽の径が最大となる部分よりも前方に位置し，第二の懸架手段は，前記第一の懸架手段よりも後方に位置し，前記第二の懸架手段の前記外槽との接続部は，前記第一の懸架手段の前記外槽との接続部よりも後方に位置し，前記第二の懸架手段の前記筐体との接続部は，前記第二の懸架手段の前記外槽との接続部より後方に位置することを特徴とするドラム式洗濯機及びドラム式洗濯乾燥機。
【発明の効果】
【０００８】
本発明によれば，洗濯容量の大容量化で外槽の径が拡大した場合に，外槽の懸架手段の設置空間を確保することができ，外槽と懸架手段のコイル部が干渉することで発生する異音を防止し，また，外槽の懸架手段が接続部から外れるのを防止して，外槽が倒れ込んで筺体と衝突して発生する異音を防止するドラム式洗濯機及びドラム式洗濯乾燥機を提供することができる。 
【図面の簡単な説明】
【０００９】
【図１】本発明の実施の形態例に係るドラム式洗濯機の斜視図である。
【図２】本発明の実施の形態例に係るドラム式洗濯機の内部構造を示す右側面から見た中央断面図である。
【図３】第一の実施例における懸架手段を示すための図２のＡ拡大図である。
【図４】第二の実施例におけるドラム式洗濯機の内部構造を示す右側面から見た中央断面図である。
【図５】第二の実施例における図４のＢ拡大図である。
【図６】第二の実施例における図５の外れ防止部材の効果の一例を示す図である。
【図７】第二の実施例における懸架手段を水平に配置した一例を示す図である。
【図８】第二の実施例における図７に外れ防止部材を備えた図である。
【図９】第二の実施例における図８の外れ防止部材の効果の一例を示す図である。
【発明を実施するための形態】
【００１０】
以下，本発明を実施するための形態例について，図面を参照して説明する。なお，上下方向，左右方向，前後方向については図１に示す方向とする。
【００１１】
（実施例１）
図１は本発明におけるドラム式洗濯機１００の斜視図，図２はドラム式洗濯機１００の内部構造を示す側面図をそれぞれ示す。図１と図２を用いて，ドラム式洗濯機１００の構成と動作を説明する。
【００１２】
図１に示すドラム式洗濯機１００の外郭を構成する筐体１は，ベース１ａの上に取付けられており，左右の側板１ｂ（図１では右の側板のみを図示），前面カバー１ｃ，背面カバー１ｄ（図２参照），上面カバー１ｅ，下部前面カバー１ｆで構成されている。上面カバー１ｅには，水道栓からのドラム式洗濯機１００に給水するための給水ホース接続口３０を設けている。筐体１は，ベース１ａを含めて箱状の外枠を形成し，外枠として十分な強度を有している。
【００１３】
ドア２は，前面カバー１ｃの略中央に設けた衣類を出し入れするための投入口（図示せず）を塞ぐためのもので，前面カバー１ｃに設けたヒンジで開閉可能に支持されている。ドア２は，ドア開放取手２ａを引くことでロック機構（図示せず）が外れて開き，ドア２を前面カバー１ｃに押し付けることでロックされて閉じる。前面カバー１ｃは，後述する外槽１１の開口部と略同心に，衣類を出し入れするための円形の開口部を有している。
【００１４】
筐体１の上部に設けた操作・表示パネル３は，電源スイッチ４，操作スイッチ５，表示器６を備える。操作・表示パネル３は筐体１の上部に設けた上補強部材１３ａ（図２参照）に備えられている制御装置７（図２参照）に電気的に接続している。制御装置７には冷却ファン（図示せず）が取付けられている。ベース１ａの近傍には，排水を行うための排水ホース１４（図２参照）が取付けられている。
【００１５】
図２に示すドラム式洗濯機１００の筐体１の内部には，水を溜める外槽１１が備えられる。
【００１６】
外槽１１の前方は，洗濯容量の大容量化の際に，筺体１と外槽１１の空間を確保するために，テーパー部を有している。
【００１７】
外槽１１の下部は，筐体１に固定された左右一対のサスペンション２６（コイルばねとダンパで構成）で防振支持されている。
【００１８】
外槽１１の上部は，外槽１１の前後方向への倒れ込みを抑制するために，二組の懸架手段（コイルばねで構成）が接続されている。第一の懸架手段８は，外槽１１の前方に備えられる外槽側前ばねホルダー１０ａに一端を接続して，第一の懸架手段８の他端は，前補強部材１３に備えられる筐体側前ばねホルダー１０に接続して構成される。
【００１９】
第二の懸架手段９は，外槽側前ばねホルダー１０ａよりも後方に備えられた外槽側後ばねホルダー１０ｃに一端を接続して，第二の懸架手段９の他端は，外槽側後ばねホルダー１０ｃよりも後方且つ上方に備えられる筐体側後ばねホルダー１０ｂに接続して構成される。
【００２０】
外槽側前ばねホルダー１０ａ，筺体側前ばねホルダー１０，外槽側後ばねホルダー１０ｃ及び筺体側後ばねホルダー１０ｂの材料に，ポリプロピレンや繊維強化プラスチックといった強度が高い樹脂を用いることで，ばねホルダーに懸架手段から力が加わっても，ばねホルダーが強度を有しているため，ばねホルダーの破損を防止できる。
【００２１】
外槽１１は，衣類を収納するためのドラム２１を内包する。外槽１１の後方には，ドラム２１を回転させるためのモータ２２を備える。モータ２２は，回転軸となるシャフト２２ａが外槽１１を貫通し，ドラム２１と結合している。モータ２２が駆動すると，ドラム２１は，正転（ドラム式洗濯機１００を正面から見て時計回り），逆転（ドラム式洗濯機１００を正面から見て反時計回り）の両方向に回転駆動される。図２に示すドラム２１の回転軸Ａｚは，ドラム式洗濯機１００の前方から後方に向けて水平または，奥側が下になるように傾斜している（図２は奥側が下になるように傾斜している）。
【００２２】
ドラム２１の内周面には，ドラム２１内の洗濯水を外槽１１に排水するための複数個の脱水孔２１ｂや，ドラム２１の周方向に間隔をおいて，ドラム２１内に投入された衣類を持ち上げるための複数個（図２では１個のみを図示）のバッフル２３が設けられている。バッフル２３は，ドラム２１の前後方向に延在している。
【００２３】
ドラム２１の前端には，円筒状の流体バランサ２１ｃが設けられている。外槽１１は，前方を開口として，後方を閉じた有底の略円筒を形成している。この外槽１１の開口部と筺体１の投入口は，前後方向に伸縮しやすいベローズ１６により接続される。ベローズ１６は，環状のパッキンである弾性体のエラストマーや合成ゴム材料で成形され，ドア２を閉めることでドラム２１を水封する。また，筐体１の投入口，外槽１１の開口部，ドラム２１の開口部は連通しており，ドア２を開くことでドラム２１内への衣類の出し入れが可能となる。なお，外槽１１は，開口部を含む側と，モータ２２の取り付けられる側とに分割することができる。
【００２４】
外槽１１には，給水弁１５ならびに洗剤容器１２を介して給水ホース１７の一端を接続している。給水弁１５を開くことで，給水ホース接続口３０から外槽１１内に洗濯水の供給を行う。
【００２５】
外槽１１の下部に備えられた排水ホース１４は排水経路に循環ポンプ２７，糸屑フィルタ２８，排水弁１４ａが設けてあり，排水弁１４ａを閉じて給水することで外槽１１に洗濯水を溜め，排水弁１４ａを開いて外槽１１内の洗濯水を機外へ排水する。
【００２６】
外槽１１の下方には，外槽１１の振動振幅を検知する振動センサ１８が備えられており，振動センサ１８の値が予め設定した所定値を超えると，脱水運転を停止する。
【００２７】
上記構成において，ドラム式洗濯機１００の動作を説明する。電源スイッチ４を押すと，ドラム式洗濯機１００が起動する。ドア開放取手２ａを引いて，ドア２を開いてドラム２１内に衣類を投入し，ドア２を閉じた後，操作スイッチ５を操作することで，運転を開始する。運転を開始すると，ドラム２１が回転して，注水前の衣類の重量を算出する。尚，モータ２２の回転速度と電流値に基づいて，ドラム２１内の衣類の重量を算出する。算出した衣類の重量に基づいて，投入する洗剤量を表示器６に表示する。洗剤容器１２内に所定量の洗剤量を投入後，初めに洗い工程を開始する。洗い工程において，給水弁１５を開いて，給水ホース接続口３０から供給した水を給水ホース１７ならびに洗剤容器１２を介して，洗剤と共に外槽１１内に給水する。この時，循環ポンプ２７内で未溶解の洗剤と水が強力に撹拌され，効率よく洗剤を溶かし，高濃度の洗剤液を生成することができる。この動作を所定時間実行した後，ドラム２１が正転，停止，逆転，停止を繰り返す洗い動作を所定時間行う。このとき，衣類がバッフル２３によって持ち上げられ落下する。洗い工程を行った後，脱水工程を実行する。まず，排水弁１４ａを開いて，外槽１１内の水が排水ホース１４を介してドラム式洗濯機１００の外に排水する。次に，衣類のドラム２１の内周面への張り付け動作を行う。ドラム２１を低速回転数（例えば６０ｒ／ｍｉｎ）で一方向に回転させ，洗い工程で水を含んだ衣類をドラム２１の回転時にバッフル２３によって持ち上げ，落下する際にドラム２１の内周面に広げる。次に，ドラム２１の回転速度を徐々に上昇させて，ドラム２１の内周面に衣類を張り付かせる。衣類がドラム２１の内周面に張り付くと，ドラム２１の回転速度を徐々に上昇させて，外槽１１や筐体１の共振回転速度を通過しながら，ドラム２１が所定回転数（例えば，９００ｒ／ｍｉｎ）に到達する。その後，ドラム２１が所定時間回転することで，衣類に含まれる水を遠心脱水する。
【００２８】
なお，ドラム２１の内周面に張り付いた衣類が片寄っていると，ドラム２１の回転速度の脈動（回転変動）や外槽１１の共振回転速度時に外槽１１の振動振幅が大きくなる。ドラム２１の回転変動や外槽１１の振動振幅を検出している振動センサ１８の値が所定の値よりも大きい場合は，アンバランスを小さくするために，脱水運転を停止して，ドラム２１を正転と逆転を繰り返すほぐし動作や，注水を行い，衣類の片寄りを修正する。
【００２９】
この脱水工程を行った後，給水弁１５を開いて，給水ホース接続口３０から供給した水を給水ホース１７ならびに洗剤容器１２を介して，洗剤と共に外槽１１内に給水する。外槽１１内に給水を行った後，すすぎ工程を行う。このすすぎ工程においては，前述した洗い工程と同様に，ドラム２１が正転，停止，反転，停止の動作を繰り返す。このとき，バッフル２３によって持ち上げられた衣類が落下する攪拌動作を繰り返す，すすぎ動作を所定時間行う。
【００３０】
その後，前述した脱水工程およびすすぎ工程を所定回数繰り返し，最終脱水工程に移行する。この最終脱水工程における脱水時間は，前述の脱水工程より長く設定してある。
【００３１】
ドラム式洗濯乾燥機は，ドラム式洗濯機１００に温風ヒータ，温風ファンなどを備え（いずれも図示せず），最終脱水工程後に，洗い時よりもさらに低速で洗濯乾燥ドラムを回転させながら，温風を衣類に吹き付けて，衣類を乾燥する。
【００３２】
次に，本実施の形態例において，洗濯容量の大容量化で外槽１１の最大径Ｄ１が拡大した場合に，外槽１１の第一の懸架手段８の設置空間を確保することができる第一の懸架手段８の詳細を図２と図３を用いて説明する。
【００３３】
第一の懸架手段８は，コイル部８ａと外槽側のフック部８ｂと筐体側のフック部８ｃで構成されている。第一の懸架手段８の外槽側のフック部８ｂを外槽１１と接続するための外槽側前ホルダー１０ａは，外槽１１の最大径Ｄ１となる部分Ｌ１よりも前方の外槽１１のテーパー部にねじ（図示せず）で固定されている。なお，第一の懸架手段８と第二の懸架手段９は，外槽１１が前方や後方に振動した際に，伸縮するエラストマーや合成ゴム材料を用いても良い。また，第一の懸架手段８と第二の懸架手段９を外槽１１や筺体１に接続するために，ねじを用いて固定しても良い。
【００３４】
外槽側前ホルダー１０ａを外槽１１のテーパー部に固定することで，コイル部８ａが外槽１１の最大径Ｄ１となる部分Ｌ１よりも前方とすることができ，外槽１１とコイル部８ａの上下空間及び筺体１と外槽側前ホルダー１０ａの上下空間を確保することができる。従って，洗濯容量の大容量化で外槽１１の径が拡大し，外槽１１と筺体1の上下空間が狭くなった場合においても，外槽１１が振動した際に，コイル部８ａと外槽１１の干渉の防止や，筺体１と外槽側前ホルダー１０ａの干渉の防止をすることができ，異音の発生を防止できる。
【００３５】
また，前述した様に，外槽１１の径が拡大した場合においても，第一の懸架手段８の上下方向の設置空間を確保することができる。そのため，第一の懸架手段８は外槽１１の径が拡大前と拡大後でコイル部を同一形状とすることができ，第一の懸架手段８のばね定数が大きくなることを避けられることにより，共振回転速度の上昇を防げる。共振回転速度の上昇を防ぐことで，外槽１１の共振時にドラム２１から外槽１１に加わる遠心力による加振力を低減できるので，外槽１１の振動振幅の増大を抑制でき，外槽１１から筐体１への伝達による筐体１の振動振幅が増大することを抑制できるので，使用者の不快感を抑制できる。
【００３６】
なお，本実施の形態例に示す懸架手段は，ドラム式洗濯乾燥機にも適用できる。
【００３７】
（実施例２）
次に実施例２について図４，図５，図６，図７，図８及び図９を参照して詳細に説明する。
【００３８】
なお，ドラム式洗濯機１００については，実施例１と基本的に同様な構成であるので，以下では，異なる部分について説明する。
【００３９】
図４は本実施例のドラム式洗濯機１００の中央断面図を示し，図５は外槽１１が静態支持されている状態を示す。実施例２では，外槽側後ばねホルダー１０ｃの前方に外槽側外れ防止部材３１，外槽側外れ防止部材３１の前方に筐体側外れ防止部材３１ａを配置している。外槽側外れ防止部材３１と筐体側外れ防止部材３１ａ間は，外槽１１を静態支持している状態から，外槽１１が前方に移動して，第一の懸架手段８が自然長となる前または，自然長となった時に互いが干渉する距離となっている。外槽側外れ防止部材３１と筐体側外れ防止部材３１ａの高さは，外槽１１が前方向に大きく振動した際に互いが干渉する高さとなっている。
【００４０】
外槽１１が静態支持されている状態は，フック方式の第一の懸架手段８と第二の懸架手段９を引っ張った状態で外槽１１に接続して，第一の懸架手段と第二の懸架手段が外槽１１の前後でつり合った状態となるため，第一の懸架手段８と第二の懸架手段９の長さが自然長よりも長い。
【００４１】
実施例１や特許文献１に記載している様に，第一の懸架手段８で外槽１１を前方かつ上方に向けて懸架している場合，外槽１１が前方向に大きく振動すると，第一の懸架手段８は縮み，第二の懸架手段９は引っ張られて伸びる。外槽１１の前方向への振動がより大きくなった場合，第一の懸架手段８の縮み量が増えて，第一の懸架手段８が自然長となり，引張力がなくなる。その状態で外槽１１が更に振動すると，第一の懸架手段８が第一の懸架手段８が筐体側前ばねホルダー１０や外槽側前ばねホルダー１０ａから外れて，外槽１１が倒れ込んで，外槽１１が筺体１と衝突して異音が発生する。
【００４２】
図６は外槽１１が前方向に大きく振動した状態を点線で示す。外槽側外れ防止部材３１と筐体側外れ防止部材３１ａは，第一の懸架手段８が自然長または自然長となる前の長さとなった時に，互いが干渉する距離となっている。そのため，第一の懸架手段８が自然長または，自然長となる前の長さになった時に，外槽１１の前方への振動が抑制される。従って，第一の懸架手段８が筐体側前ばねホルダー１０や外槽側前ばねホルダー１０ａから外れることを防止して，外槽１１が倒れ込みを防止することで，外槽１１と筺体１の衝突による異音の発生を防止できる。
【００４３】
第一の懸架手段８は，外槽１１が前後に倒れるのを防止するために，水平方向に所定の力が必要となる。ここで，実施例１や特許文献１の様に，外槽１１を第一の懸架手段８を前方かつ上方に懸架する場合，水平方向に所定の力を発生させると，第一の懸架手段８を水平に配置した時に比べて，第一の懸架手段８のばね定数が大きくなる。第一の懸架手段８のばね定数が大きくなると、共振回転速度が上昇して，遠心力が大きくなることで，外槽１１の振動が大きくなる。外槽１１の振動が大きくなると，外槽１１の振動が筺体１に伝達して，筺体１の振動が大きくなり，不快感が増す。そのため，第一の懸架手段は水平に配置することが望ましい。
【００４４】
図７は，特許文献２に記載している様に，第一の懸架手段８を水平方向に配置した状態を示す。
【００４５】
第一の懸架手段８を水平に配置する場合，外槽１１が前方に大きく振動すると，第一懸架手段８は水平方向に変形しやく，自然長となりやすいため，第一懸架手段８が筐体側前ばねホルダー１０や外槽側前ばねホルダー１０ａから外れて外槽１１が倒れ込みやすくなる。
【００４６】
図８は，本実施の形態例に記載している外槽側外れ防止部材３１と筐体側外れ防止部材３１ａを図７に備えた状態を示す。第一の懸架手段８を水平方向に配置して，第一の懸架手段８が水平方向に変形しやすい場合においても，図９に示す様に，外槽側外れ防止部材３１と筐体側外れ防止部材３１ａが干渉することで，外槽１１の振動が抑制され，第一の懸架手段８を水平方向に配置した場合においても，第一の懸架手段８が筐体側前ばねホルダー１０や外槽側前ばねホルダー１０ａから外れることによる外槽１１の倒れ込みを防止することで，外槽１１と筺体１の衝突による異音の発生を防止できる。
【００４７】
従って，本実施の形態例に記載している外槽側外れ防止部材３１と筐体側外れ防止部材３１ａを備えることで，実施例１に記載している様な，外槽１１を前方かつ上方に向けて懸架している第一の懸架手段８を水平に配置することができる。第一の懸架手段８を水平に配置すると，第一の懸架手段８を前方かつ上方に向けて配置する場合に比べて，ばね定数を小さくできるので，共振回転速度の上昇を抑制して，外槽１１の振動が大きくなることを防止できるため，外槽１１から筺体１に伝達する振動を低減できる。
【００４８】
本発明により，第一の懸架手段８が筐体側前ばねホルダー１０や外槽側前ばねホルダー１０ａから外れて外槽１１が倒れ込むことを防止し，外槽１１と筺体１の衝突による異音の発生を防止できる。さらに第一の懸架手段８を水平に配置できるため，共振時に外槽１１から筺体１に伝達する振動を低減でき，筺体１の振動の増加を抑制することで不快感を低減できる。
【００４９】
なお，本実施の形態例に示す外れ防止部材は，ドラム式洗濯機１００とドラム式洗濯乾燥機に適用できる。
【００５０】
また，モータ２２の後方の背面カバー１ｄに突起部４０を備え，モータ２２と突起部４０間は，第二の懸架手段９が外槽１１を静態支持している状態から，外槽１１が後方に移動して，第二の懸架手段９が自然長以下となる前に，モータ２２の背面が突起部材４０と干渉する位置とすることで，第二の懸架手段９が自然長に至る前に，外槽１１の後方向の振動が抑制されるため，第二の懸架手段９が外槽側後ばねホルダー１０ｃから外れることを防止できる（図４参照）。
【００５１】
さらに，本実施の形態例における外槽側外れ防止部材３１を外槽側後ばねホルダー１０ｃと同一の材料とすることで，外槽側外れ防止部材３１と外槽側後ばねホルダー１０ｃを一体部品として成型できる。同様に，筺体側外れ防止部材３１ａを筺体側後ばねホルダー１０ｂと同一材料とすることで，筺体側外れ防止部材３１ａを筺体側後ばねホルダー１０ｂと一体部品として成型できる。外れ防止部材とばねホルダーを一体部品とすることで，部品点数の増加を防ぎ，タクトタイム低減による生産コストの低減が可能となる。
【符号の説明】
【００５２】
１・・・筐体
８・・・第一の懸架手段
８ａ・・・コイル部
８ｂ・・・外槽側のフック部
８ｃ・・・筐体側のフック部
９・・・第二の懸架手段
１０・・・筐体側前ばねホルダー
１０ａ・・・外槽側前ばねホルダー
１０ｂ・・・筐体側後ばねホルダー
１０ｃ・・・外槽側後ばねホルダー
１１・・・外槽
１３・・・前補強部材
２２・・・モータ
３１・・・外槽側の外れ防止部材
３１ａ・・・筐体側の外れ防止部材
４０・・・突起部
１００・・・ドラム式洗濯機
【図１】
2018061527.tif 000003
【図２】
2018061527.tif 000004
【図３】
2018061527.tif 000005
【図４】
2018061527.tif 000006
【図５】
2018061527.tif 000007
【図６】
2018061527.tif 000008
【図７】
2018061527.tif 000009
【図８】
2018061527.tif 000010
【図９】
2018061527.tif 000011